(57)【要約】    本発明は、使用者が、持手が設けられた荷物、具体的には、ビニール袋、買い物袋又は包装ボトル等を搬送ことを可能にする装置を提供する。この装置は、実質的に環状型の本体（１）を備え、前記本体（１）が、長手方向シート（２；２０２，２０２‘）を有し、前記長手方向シートに荷物の持手を配置し得る外面（８）と、使用者の指をホールドするために形成された溝（３，３‘；２０３，２０３’）が設けられた内面（７）とを有する。本発明によれば、前記溝が、実質的に相互に対向する二つの異なるハンドグリップ（３，３‘；２０３，２０３’）を構成するように内面（７）に設けられ、長手方向シート（２；２０２，２０２‘）が、少なくともハンドグリップに対応する位置で前記外面（８）に設けられる。【選択図】  図１
2012513350.tif 000002
【特許請求の範囲】
【請求項１】
特に、ビニール袋、買い物袋及び包装ボトル等のような持手を備えた荷物を使用者が搬送することを可能にする装置であって、
実質的に環状型の本体（１）を備え、
前記本体（１）が、
長手方向シート（２；２０２，２０２‘）を有し、前記長手方向シートに荷物の持手を配置し得る外面（８）と、
使用者の指をホールドするために形成された溝（３，３‘；２０３，２０３’）が設けられた内面（７）と
を有する装置において、
前記溝が、実質的に相互に対向する二つの異なるハンドグリップ（３，３‘；２０３，２０３’）を構成するように内面（７）に設けられ、
長手方向シート（２；２０２，２０２‘）が、少なくとも二つのハンドグリップ（３，３‘；２０３，２０３’）に対応する位置で前記外面（８）に設けられる
ことを特徴とする搬送用装置。
【請求項２】
前記長手方向溝（２）が、環状型本体の外周全体（８）をカバーする
ことを特徴とする請求項１に記載の搬送用装置。
【請求項３】
荷物本体に向かって持手が緩やかに広がることを促進するように、相互に対向する二つの拡張領域（２‘）がシート（２）に設けられる
ことを特徴とする請求項２に記載の搬送用装置。
【請求項４】
二つのハンドグリップ（２０３，２０３’）の各々に関して、各長手方向シート（２０２，２０２‘）が、実質的に関連するハンドグリップに対向する位置で、かつ、ハンドグリップの長さと実質的に同じ長さで外面（８）に設けられる
ことを特徴とする請求項１に記載の搬送用装置。
【請求項５】
前記長手方向シート（２０２，２０２‘）に、荷物の取付点に向けて持手が開くように緩やかな拡張領域（２１３）が各々設けられている
ことを特徴とする請求項４に記載の搬送用装置。
【請求項６】
前記ハンドグリップ（３，３‘；２０３，２０３’）が異なる長さである
ことを特徴とする請求項１〜５の何れか一項に記載の搬送用装置。
【請求項７】
前記環状型本体が、実質的にＵ字型又はＣ字型に従って一致された第一部分（４；２０４）及び第二部分（５；２０５）を備えている
ことを特徴とする請求項１〜６の何れか一項に記載の搬送用装置。
【請求項８】
前記長手方向シート（２；２０２，２０２‘）が、
荷物の持手に対するシート（２；２０２，２０２‘）の範囲を定めるように相互に離間した第一側壁（１１）及び第二側壁（１１）と、
対応する側壁の頂部に持手の閉じ込めエッジを形成するように配置された第一壁（１２）及び第二壁（１２）と
を有する
ことを特徴とする請求項１〜７の何れか一項に記載の搬送用装置。
【請求項９】
前記長手方向シートが、環状型本体の全周に沿って彫り込まれている
ことを特徴とする請求項１〜８の何れか一項に記載の搬送用装置。
【請求項１０】
型で溶融することによって一部品で形成される
ことを特徴とする請求項１〜９の何れか一項に記載の搬送用装置。
【発明の詳細な説明】
【技術分野】
【０００１】
本発明は、仕事又は家庭用の付属品の技術分野に関する。
【０００２】
特に、本発明は、一般的に、持手が設けられた荷物、具体的には、買い物袋やバッグの人力搬送を容易にする革新的な装置に関する。
【背景技術】
【０００３】
一般的に荷物の人力搬送は、容易にこなせる作業ではないことは公知である。また、これらが適切に梱包され、持ち上げるための持手が設けられている場合でも、その搬送が困難になることがあり、主として過度な重量の場合には、手に外傷を負わすこともある。人が、商品でいっぱいの様々なバッグを持ってスーパーマーケットから出る光景を見ることは珍しいことではない。できるだけ早くバッグを車の中に置いて重さから開放されるために車に急いでいる間に、手を傷めたり苦労をしたりしている人を見ることはよくある光景である。
【０００４】
重い荷物（ビニール袋だけでなく梱包されたボトル）の持手がどのように手に深い跡を残し、それが血液循環を不足させて切り傷を生じさせることは知られている。とりわけ、ビニール袋や梱包された水の場合、持手が先細になったり、又は、カールしたりする傾向があり、より切り傷を作りやすくすることは知られている。
【０００５】
現在用いられている解決方法は、もっぱら即席で作られる装置か、又は、その時に役立つ状態になる装置である。第一の解決方法は、手を保護することを目的とした、単純な海綿体から成る。海綿体は、重い荷物の場合に、手を効果的に保護することができるものではなく、その上、簡単に擦り切れるので、このような解決手段が実用的に不十分であることは明らかである。
【０００６】
他の例では、その不都合な問題は、程度の差はあるが硬い装置で克服しようとされており、前記装置は、荷物の持手に配置して握るための単純な持手に似ている。
【０００７】
例えば、カレッタ・オーガスト（Caretta Augusto）の名前で出願された国際公開WO０３／０３２７７０号公報には、閉リング搬送装置が開示されており、この搬送装置は、持手１と、それに荷物を吊り下げるように形成された二つのフック３とを備えている。
【０００８】
荷物が完全に中心決めされていない時に、フックに吊り下げられた荷物が装置そのものが回転する原因になり得るので、このような解決手段は実用的ではないことは明らかである。加えて、吊り下げられた荷物は、振動を引き起こす原因になり得、搬送を不快なものにする。さらにまた、持手は、実質的に二つの接触点のみでフックを通して装置に負荷を伝達する。そのため、持手と擦れた時に、フックが切断の原因となり得、従って、持手を先細りさせて、結果として破損させる原因になることは容易に想像できる。最後に、このような形状は、負荷に対する抵抗力が非常に弱く、構造上、フックが重大な破損点になる。
【０００９】
１９９４年１１月３日に出願されたランデルズ・ロバート(Randels Robert)の名前の米国特許５５２７０７６号には、別の解決方法が開示されている。この解決方法は、リング状の閉鎖可能な可撓性要素を備え、荷物の持手を受けるための円筒状シート８が設けられている。この要素は、負荷の動きの下で変形され、荷物の持手の周りで円筒状シート８の側部６が閉じることができるように可撓性を持つ。この装置が、予め決められた目的に対して実用性が不十分であることは明らかである。とりわけ、持手が、バッグの負荷の動きの下で容易に変形可能であり、従って、手を押しつぶす危険があり、かつ、バッグと手とが直接接触する場合と同様の身体的危害を生み出す危険がある。さらにまた、このような可撓性のために、荷物が重い時に、持手が、振動をほとんど制御せずに、かつ減衰しない。これは、搬送が非常に困難であり、持手と使用者の手との間に強い摩擦がかかり、手を擦りむく危険があることを暗示している。
【００１０】
エリクソン（Erickson）の名前で出願された国際公開ＷＯ２００６／１２２１０９号公報には、二つの持手１２及び１４と基部１６とが設けられ、荷物の持手が配置される例えばＵ字型の装置が開示されている。持手１２及び１４は、荷物を吊り下げて搬送することを可能にするような方法で、クリップボタンを用いて一方を他方に連結することができる。
【００１１】
このような装置は、第一に、荷物を基部１６に挿入して、その後、持手１２及び１４を閉じる必要があるので、使用時に快適ではない。さらにまた、主として荷物が原因となって、閉鎖ボタンが損傷し、装置を閉じたり使用したりする妨げになる。
【００１２】
最後に、ミスヘック(Mishek)の名前で出願された米国特許公開ＵＳ２００６／０１６３８９４号には、荷物の持手を挿入するシートを備えたシンプルな持手が開示されている。
【００１３】
上記した装置には、使用時に融通が利くものはない。これらの装置は、様々な手の寸法に加えて、様々な持手の寸法に、それら自身を合わせるのが難しい。
【００１４】
そういう意味では、このような装置は、柔軟性に乏しく、寸法変更に合わせるには適していない。
【００１５】
さらにまた、それらは、それら自身を容易にすり減らすため、頻繁に交換しなければならない。
【発明の概要】
【００１６】
従って、本発明の目的は、持手が設けられた荷物、特にビニール袋、買い物袋及び包装ボトル等の搬送に適した装置であって、上述した欠点を全て解消する装置を提供することにある。
【００１７】
具体的には、本発明の目的は、広い表面上で負荷を分散して、血液循環を促進し、持手が手の組織に深い跡を付けることを防止する装置を提供することにある。
【００１８】
また、本発明の目的は、吊り下げられた荷物を保持するのに十分な堅さがあり、使用者が被る有害な屈曲を避け、搬送を困難なものにする有害な屈曲を避ける装置を提供することにある。
【００１９】
本発明の目的は、使用において融通が利き、長持ちする装置を提供することにもある。
【００２０】
本発明のこれらの目的及びそれ以外の目的は、請求項１に記載されたように、使用者が、持手が設けられた荷物、具体的には、ビニール袋、買い物袋又は包装ボトル等を搬送ことを可能にする装置によって達成される。
【００２１】
具体的には、装置には、外面（８）及び内面（７）を備えた実質的に環状型の本体（１）が設けられる。外面（８）に対応して、荷物の持手が配置される長手方向シート（２；２０２，２０２‘）が設けられ、内面（７）に対応して、使用者の指をホールドするために形成された溝（３，３‘；２０３，２０３’）が設けられる。
【００２２】
内面（７）に前記溝を適当に配置することによって、実質的に相互に対向する二つの異なるハンドグリップ（３，３‘；２０３，２０３’）を実現することが可能になる。従って、長手方向シート（２；２０２，２０２‘）は、少なくとも前記二つのハンドグリップに対応する位置に配置されるように外面（８）に配置される。このような方法で、装置は、両側がリバーシブルになるので、融通が利くものになる。従って、このような装置は、一側か、又は多側で使用することができるようになり、無駄を減らし、破損を防止する。
【００２３】
シンプルなビニール製買物袋の場合、その持手を選択したシートに挿入することによって、持手がシートに完全に密着するようになる。従って、この段階で、荷物を持ち上げることが可能になる。具体的には、持手は環状型本体の長手方向外周に追従する追従することを余儀なくされ、環状型本体は、そのリング形状のために、シンプルな持手がなし得ることに関しては、屈折により良く抵抗する。従って、使用者は、装置自身が使用者の手を傷つけることなく、簡単で痛みのない方法で荷物を持ち上げるために、選択したハンドグリップの側から装置を握ることができる。加えて、荷物自身の切断や破れの危険は、環状型の形状が、国際公開ＷＯ０３／０３２７７０号公報に開示されたフック装置にある角点を完全に排除するので、十分に低減される。
【００２４】
有利には、長手方向シート（２）は、環状型本体の全外周をカバーし得る。
その場合には、長手方向シートは一つの連続したシートになる。
【００２５】
このような解決手段によれば、荷物本体に向かって持手が緩やかに広がることを促進するように、相互に対向する二つの拡張領域（２‘）がシート（２）に設けられ得る。
【００２６】
この解決手段は、重量が重い状態における荷物の持手の安全性の助けになる。
【００２７】
選択的に、二つのハンドグリップ（２０３，２０３’）の各々に関して、各長手方向シート（２０２，２０２‘）が、実質的に関連するハンドグリップに対向する位置で、かつ、ハンドグリップの長さと実質的に同じ長さで外面（８）に設けられ得る。
【００２８】
またこの場合、上述した理由と同じ理由のために、二つの長手方向シート（２０２，２０２‘）に、荷物に向けて持手が開くように緩やかな拡張領域（２１３）が各々設けられ得る。
【００２９】
有利には、ハンドグリップ（３，３‘；２０３，２０３’）が異なる長さであり得る。
【００３０】
この解決手段は、装置に融通性を与え、かつ、装置を異なる寸法の手に適合できるようにしているので、特に有利である。
【００３１】
選択的に、環状型本体は、実質的にＵ字型又はＣ字型に従って一致された第一部分（４；２０４）及び第二部分（５；２０５）を備え得る。
【００３２】
有利には、前記長手方向シート（２；２０２，２０２‘）は、
荷物の持手に対するシート（２；２０２，２０２‘）の範囲を定めるように相互に離間した第一側壁（１１）及び第二側壁（１１）と、
対応する側壁の頂部に持手の閉じ込めエッジを形成するように配置された第一壁（１２）及び第二壁（１２）と
を有し得る。
【００３３】
有利には、前記した前記長手方向シートは、外面（８）にその全周に沿って彫り込まれ得る。
【００３４】
有利には、上述した装置は、型で溶融することによって、例えば、プラスチック材料を溶融することによって、一部品で形成され得る。
【００３５】
例えば、圧力射出技術や軽量剛体材料のインナーコアの周囲を加硫する技術が用いられ得る。
【００３６】
選択的に、数値制御装置を用いて材料を形作る方法が用いられ得る。
【図面の簡単な説明】
【００３７】
【図１】第一の構造に従った本発明の不等角投影図である。
【図２】荷物の持手を挿入するためのシートを強調するために装置の一部を示す図である。
【図３】本発明の第二の好ましい構造を示す図であり、この例では、環状型本体と相対的な二つの持手を構成する二つの部分の裏側に制限された長さの二つのシートだけがある。
【図４】第一の好ましい構造が、バッグの本体に向けて持手の広がりを容易にするためのテーパーリングを提示する図である。
【図５】本発明の第三の構造の不等角投影図である。
【図６】第三の構造の正面図である。
【図７】第三の構造の側面図である。
【発明を実施するための形態】
【００３８】
本発明に係る装置のさらなる特徴及び利点は、添付図面を参照して以下に記述する、限定的でないその実施例の一つの説明によって明らかになる。
【００３９】
図１には、本発明の第一の好ましい形態が示されている。
【００４０】
詳細には、本体１を備えたこの装置は、概して環状形状であり、外面８と内面７とを備えている。外面８に対応する位置には、バッグや荷物の持手を受けるのに適した長手方向シート２がある。また、内面７に対応する位置には、一連の横方向溝３及び３’が、対向する二つの異なるハンドグリップ（３，３’）、又はハンドホールドを実現するような方法で配置され、手の指を保持する。従って、一度、ビニール袋の持手がシート２に適切に挿入されると、単に、二つのハンドグリップの一方の部分から装置を握ることによって荷物を持ち上げることが可能になる。
【００４１】
より詳細には、この第一の好ましい形態によれば、その環状型本体は、本質的に、（それぞれ上側部分及び下側部分を構成する）二つの部分４及び５によって形成され、これらは、ほぼ反転したＵ字状又はＣ字状の形状に合わせられている。従って、これらの二つのハンドグリップ３及び３’は、それぞれ、二つの部分４及び５における関連する部分（Ｕ字状又はＣ字状）の腹部６，６’に対応する部分で得られる。このような構成によれば、長手方向シート２は、外面８の全長手方向周囲長に沿って連続するように実現される。さらに、実際にハンドルを支持するシート２のその部分は、実質的に腹部６，６’の長さと一致することになる。
【００４２】
具体的には、図１は、二つの部分４及び５が、長手方向の長さが異なる腹部６，６’を有する実施例を示している。従って、得られる持手３，３’の長さは異なり、同じ装置で二つの異なる寸法のハンドグリップを保証する。
【００４３】
図４には、相互に正反対である二つの拡張領域２’が、実質的に、二つの部分４及び５の接合部分に設けられた一つの構造上の変形例が示されている。この拡張領域の作用は、荷物自身の本体に向けたビニール袋の持手の緩やかな広がりを容易にすることにあり、従って、持手が丸まる問題を制限する。
【００４４】
本発明の第二の好ましい構造（図３参照）は、代わりに、二つの異なる長手方向シート２０２及び２０２’を備え、これらのシートは、長さが制限され、実質的に、拡張領域２０３及び２０３’の長さと一致している。単に実施例の一つであり、従って本発明を制限しない図３の構造は、二つの異なる長さの持手２０３及び２０３’を示しており、異なる寸法の手に適合することを可能にする。その結果、このような実施例によれば、シート２０２及び２０２’は、異なる長さを有し、それら自身を異なる開きの手に適合する。具体的には、二つのシート２０２及び２０２’は、それぞれ、広げられる荷物の持手により良く適合することを可能にする二つの緩やかに対向する拡張領域２１３（第一実施例でも説明した領域と類似した領域）で終わる。
【００４５】
本発明の第三の好ましい実施例（図５，６及び７参照）は、環状型本体の基部に対応する位置で終わる単一のシート３０２と、基部に対向する単一の持手３０３とを備えた環状型本体を有する。また、この構造（図７参照）は、ポリ袋の持手が、袋自身の本体に向けて徐々に広がるのを可能にするための基部に近接した拡張部３１３を有する。
【００４６】
上述した構造にも拘わらず、長手方向シートの実施可能な構造的な形状も予測される（図２参照）。具体的には、シート２は、（持手が横方向に出ることを防止し、持手をシート内に維持する）シートの基部から頂部に向けて現れる側壁１１と、上側閉じ込め壁１２とを有する外面８上に彫り込まれた部分を有する。
【００４７】
勿論、用語「環状型」は一般的な方法であり、必ずしも円形に関連付けする必要はない。従って、円形の本体とは異なる形、例えば、四角形等が、本発明の概念から外れることなく、目的のために用いられ得る。
【００４８】
装置について建設的に説明したので、我々は、ここで、目的を明確にするために、装置の使用方法を説明する。勿論、機能性の種類は、予め選択した構成に基づいて変化せず、簡単化のために、以下の説明では、第一の好ましい構成のみを参照する。
【００４９】
手の寸法に応じて、長いハンドグリップ３’又は短いハンドグリップ３を選択することができる。このような選択に基づいて、バッグ、即ち、荷物の持手は、長手方向に得られるシート２の中に挿入される。従って、装置を用いて荷物を持ち上げることが実行され得る。
【００５０】
この装置が、使用者の手に与えるダメージや外傷を抑えて、手で荷物を持ち上げ運ぶことを可能にするために、どれだけ非常に有用であるかは明確である。
【００５１】
また、本発明の予め決められた目的の全てがどのように達成されているかも明らかである。特に、有意に実現された環状型本体が、どのように装置自身の湾曲や破壊を制限し、使用者に与える可能性があるダメージを回避するかは明らかである。加えて、同じ装置で二つの異なる寸法を使用することが可能であり、異なる大きさの使用者及び／又は荷物に装置を容易に適用することができる。
【図１】
2012513350.tif 000003
【図２】
2012513350.tif 000004
【図３】
2012513350.tif 000005
【図４】
2012513350.tif 000006
【図５】
2012513350.tif 000007
【図６】
2012513350.tif 000008
【図７】
2012513350.tif 000009
【手続補正書】
【提出日】平成23年8月24日(2011.8.24)
【手続補正１】
【補正対象書類名】特許請求の範囲
【補正対象項目名】全文
【補正方法】変更
【補正の内容】
【特許請求の範囲】
【請求項１】
特に、ビニール袋、買い物袋及び包装ボトル等のような持手を備えた荷物を使用者が搬送することを可能にする装置において、
実質的に環状型の本体（１）を備え、
前記本体（１）が、外面（８）及び内面（７）を有し、
前記外面（８）が、荷物の持手を配置し得る長手方向シート（２；２０２，２０２‘）を備え、
前記内面（７）に使用者の指をホールドするために形成された溝（３，３‘；２０３，２０３’）が設けられ、
前記溝が、実質的に相互に対向する二つの異なるハンドグリップ（３，３‘；２０３，２０３’）を構成するように内面（７）に設けられ、
長手方向シート（２；２０２，２０２‘）が、少なくとも二つのハンドグリップ（３，３‘；２０３，２０３’）に対応する位置で前記外面（８）に設けられる
ことを特徴とする搬送用装置。
【請求項２】
前記長手方向溝（２）が、環状型本体の外周全体（８）をカバーする
ことを特徴とする請求項１に記載の搬送用装置。
【請求項３】
荷物本体に向かって持手が緩やかに広がることを促進するように、相互に対向する二つの拡張領域（２‘）がシート（２）に設けられる
ことを特徴とする請求項２に記載の搬送用装置。
【請求項４】
二つのハンドグリップ（２０３，２０３’）の各々に関して、各長手方向シート（２０２，２０２‘）が、実質的に関連するハンドグリップに対向する位置で、かつ、ハンドグリップの長さと実質的に同じ長さで外面（８）に設けられる
ことを特徴とする請求項１に記載の搬送用装置。
【請求項５】
前記長手方向シート（２０２，２０２‘）に、荷物の取付点に向けて持手が開くように緩やかな拡張領域（２１３）が各々設けられている
ことを特徴とする請求項４に記載の搬送用装置。
【請求項６】
前記ハンドグリップ（３，３‘；２０３，２０３’）が異なる長さである
ことを特徴とする請求項１〜５の何れか一項に記載の搬送用装置。
【請求項７】
前記環状型本体が、実質的にＵ字型又はＣ字型に従って一致された第一部分（４；２０４）及び第二部分（５；２０５）を備えている
ことを特徴とする請求項１〜６の何れか一項に記載の搬送用装置。
【請求項８】
前記長手方向シート（２；２０２，２０２‘）が、
荷物の持手に対するシート（２；２０２，２０２‘）の範囲を定めるように相互に離間した第一側壁（１１）及び第二側壁（１１）と、
対応する側壁の頂部に持手の閉じ込めエッジを形成するように配置された第一壁（１２）及び第二壁（１２）と
を有する
ことを特徴とする請求項１〜７の何れか一項に記載の搬送用装置。
【請求項９】
前記長手方向シートが、環状型本体の全周に沿って彫り込まれている
ことを特徴とする請求項１〜８の何れか一項に記載の搬送用装置。
【請求項１０】
型で溶融することによって一部品で形成される
ことを特徴とする請求項１〜９の何れか一項に記載の搬送用装置。
【国際調査報告】
2012513350.tif 000010
2012513350.tif 000011
2012513350.tif 000012